(57)【要約】【課題】壁状構造物のコンクリート打設工事において、養生マットの敷設を簡単に行え、敷設の手間を軽減することが可能な養生マット一体型型枠装置を提供する。【解決手段】コンクリート壁面を順次高さ方向に構築する際に、コンクリート打設の工程に追従して型枠１２を上方に移動させ、コンクリート壁面の既設部分に固定する移動式の型枠装置１０であって、型枠１２を上方に移動した場合にコンクリート壁面の既設部分を被覆して湿潤養生することが可能なシート状の養生マット１８を型枠１２に一体に設けた。コンクリート壁面の既設部分に散水するための散水手段を備えてもよい。【選択図】図１
2013238053.tif 000002
【特許請求の範囲】
【請求項１】
コンクリート壁面を順次高さ方向に構築する際に、コンクリート打設の工程に追従して型枠を上方に移動させ、コンクリート壁面の既設部分に固定する移動式の型枠装置であって、前記型枠を上方に移動した場合に前記コンクリート壁面の既設部分を被覆して湿潤養生することが可能なシート状の養生マットを前記型枠に一体に設けたことを特徴とする養生マット一体型型枠装置。
【請求項２】
前記コンクリート壁面の既設部分に散水するための散水手段を備えることを特徴とする請求項１に記載の養生マット一体型型枠装置。
【発明の詳細な説明】
【技術分野】
【０００１】
本発明は、重力式擁壁、ダム、橋脚、煙突などの高さのある壁形状のコンクリート構造物のコンクリート打設工事に用いられる型枠装置に関し、特に、コンクリート打ち込みに用いる型枠とコンクリート打ち込み後の湿潤養生用のマットが一体となった養生マット一体型型枠装置に関するものである。
【背景技術】
【０００２】
従来、重力式ダム、擁壁、橋脚、煙突などの高さのある壁状構造物のコンクリート打設工事においては、打設時の材料分離や打設後のひびわれ発生を防止する等の観点から、コンクリートの打設は高さ方向に複数回に分けて行っている（例えば、特許文献１〜３参照）。
【０００３】
例えば、ダム堤体のコンクリート打設工事においては、図７に示すように、木製または鋼製で構成した型枠１と支柱２と足場３とが一体となった移動式型枠４を、クレーン等の昇降装置を用いて、堤体Ｄの壁面に沿って上方にスライド移動させながら所定の高さずつ打設していく方法が一般的に採用されている。
【０００４】
この堤体コンクリート打設方法の具体的手順について、図７〜図１０を参照しながら説明する。まず図７に示すように、型枠１の位置をシーボルト５、アンカー６およびジャッキボルト７で打設済みの堤体Ｄに固定する。次に、図８に示すように、この型枠１内に一層目のコンクリートＮ１を打設する。一層目のコンクリートＮ１がある程度硬化した後、シーボルト５とアンカー６を縁切りして移動式型枠を堤体Ｄから離脱させる。そして、図９に示すように、コンクリート壁面に沿って上方にスライドさせ、シーボルト５、アンカー６およびジャッキボルト７で一層目のコンクリートＮ１に固定した後、図１０に示すように、型枠１内に二層目のコンクリートＮ２を打設するといった工程を順次繰り返し、ダム堤体Ｄを構築する。
【０００５】
型枠内に打ち込まれたコンクリートはその後所定期間、養生される。ここで養生とは、コンクリート打ち込み後、低温や乾燥、急激な温度変化による有害な影響を受けないように保護する処置のことをいい、良く知られた養生方法としては、コンクリート表面を湿潤養生マットや布などで覆って表面を湿潤状態に保持する湿潤養生や、表面にホースなどを使って水を撒く散水養生がある（例えば、特許文献４参照）。養生期間は、使用セメント種類と日平均気温などに応じて定めるのが一般的であるが、通常はコストや工期上の制約から、型枠の脱型時までの数日の期間（例えば打ち込み後からの材齢７日程度）で養生を終了させることが多い。
【０００６】
しかしながら、型枠の脱型後もしばらくの間はコンクリート内部でセメントの水和反応が継続中であることから、この水和反応の進行を阻害しないようにするために、脱型後もできる限りコンクリート壁面を湿潤状態に保持することが好ましい。
【０００７】
上記の堤体コンクリート打設方法のように、下から上に複数回に分けてコンクリート打設を行う場合には、型枠１を上方にスライド移動させたときに、打ち込み後まもない若材齢の一層目のコンクリートＮ１の壁面が外気にむき出しの状態となってしまう。この一層目のコンクリートＮ１は脱型した時点である程度硬化しているが、この壁面には脱型直後に足場３に降り立った作業員が湿潤養生マットを敷設して、湿潤養生を継続するようにしていた。
【先行技術文献】
【特許文献】
【０００８】
【特許文献１】特開平７−１７１７７１号公報
【特許文献２】特開平８−１０５０３２号公報
【特許文献３】特開平１０−２１２７２１号公報
【特許文献４】特開２００１−３４９０６０号公報
【発明の概要】
【発明が解決しようとする課題】
【０００９】
このように、型枠を外した一層目のコンクリートＮ１に対する湿潤養生マットの敷設は、足場３に降り立った人手によることから手間が掛かっていた。また、高さのある壁状構造物では高所作業となるので安全対策を講じる必要もあった。このため、壁状構造物のコンクリート打設工事において、養生マットの敷設を簡単に行え、敷設の手間を軽減する技術が強く望まれていた。
【００１０】
本発明は、上記に鑑みてなされたものであって、壁状構造物のコンクリート打設工事において、養生マットの敷設を簡単に行え、敷設の手間を軽減することが可能な養生マット一体型型枠装置を提供することを目的とする。
【課題を解決するための手段】
【００１１】
上記した課題を解決し、目的を達成するために、本発明の請求項１に係る養生マット一体型型枠装置は、コンクリート壁面を順次高さ方向に構築する際に、コンクリート打設の工程に追従して型枠を上方に移動させ、コンクリート壁面の既設部分に固定する移動式の型枠装置であって、前記型枠を上方に移動した場合に前記コンクリート壁面の既設部分を被覆して湿潤養生することが可能なシート状の養生マットを前記型枠に一体に設けたことを特徴とする。
【００１２】
また、本発明の請求項２に係る養生マット一体型型枠装置は、上述した請求項１において、前記コンクリート壁面の既設部分に散水するための散水手段を備えることを特徴とする。
【発明の効果】
【００１３】
本発明に係る養生マット一体型型枠装置によれば、コンクリート壁面を順次高さ方向に構築する際に、コンクリート打設の工程に追従して型枠を上方に移動させ、コンクリート壁面の既設部分に固定する移動式の型枠装置であって、前記型枠を上方に移動した場合に前記コンクリート壁面の既設部分を被覆して湿潤養生することが可能なシート状の養生マットを前記型枠に一体に設けたので、型枠を上方に移動すると、シート状の養生マットがコンクリート壁面の既設部分を被覆するようになるので、この既設部分の湿潤養生が可能となる。このため、これまで脱型の度毎に人手により行っていた湿潤養生マットの敷設手間を省略することができる。したがって、壁状構造物のコンクリート打設工事において、養生マットの敷設を簡単に行え、敷設の手間を軽減することができるという効果を奏する。
【図面の簡単な説明】
【００１４】
【図１】図１は、本発明に係る養生マット一体型型枠装置の実施例を示す断面斜視図である。
【図２】図２は、本発明に係る養生マット一体型型枠装置によるコンクリート打設工程１を示す断面図である。
【図３】図３は、本発明に係る養生マット一体型型枠装置によるコンクリート打設工程２を示す断面図である。
【図４】図４は、本発明に係る養生マット一体型型枠装置によるコンクリート打設工程３を示す断面図である。
【図５】図５は、本発明に係る養生マット一体型型枠装置の他の実施例を説明する図である。
【図６】図６は、本発明に係る養生マット一体型型枠装置の他の実施例を説明する図である。
【図７】図７は、従来の移動式型枠によるコンクリート打設工程１を示す図である。
【図８】図８は、従来の移動式型枠によるコンクリート打設工程２を示す図である。
【図９】図９は、従来の移動式型枠によるコンクリート打設工程３を示す図である。
【図１０】図１０は、従来の移動式型枠によるコンクリート打設工程４を示す図である。
【発明を実施するための形態】
【００１５】
以下に、本発明に係る養生マット一体型型枠装置の実施の形態についてダム堤体コンクリート打設工事を例にとり図面に基づいて詳細に説明する。なお、この実施例によりこの発明が限定されるものではない。
【００１６】
図１に示すように、本発明に係る養生マット一体型型枠装置１０は、コンクリート壁面を順次高さ方向に構築する際に、コンクリート打設の工程に追従して型枠１２を上方に移動させ、コンクリート壁面の既設部分に保持固定する移動式の型枠装置であり、型枠１２と支柱１４と足場１６と養生マット１８とが一体となったものである。
【００１７】
従来の移動式型枠の構造と同様に、型枠１２は、木製または鋼製のものであり、ダム軸方向の両側で支柱１４に取り付けてある。なお、図１の例では支柱１４をダム軸方向の両側に２本配置した例を示しているが、型枠１２をダム軸方向に延伸するために、２本以上の支柱１４を配置してももちろん構わない。
【００１８】
支柱１４の上部および中央部にはシーボルト２０が取り付けてあり、下部にはジャッキボルト２４が取り付けてある。シーボルト２０は型枠１２裏面側に配置され、コンクリートに埋め込まれるアンカー２２に対して連結可能としてある。また、足場１６は、支柱１４の下端に取り付けてあり、足場板１６ａと足場枠１６ｂと手摺１６ｃとからなる。
【００１９】
養生マット１８は、型枠１２の下端からぶら下がるように取り付けた可撓性シート状物であり、型枠１２を上方に移動した場合にコンクリート壁面の既設部分を被覆して湿潤養生することが可能なものである。この養生マット１８は、保水性、遮光性、軽量性、耐候性、耐久性などのコンクリートの湿潤養生に好適な性能を有する材質、構造にて構成してある。
【００２０】
上記構成の動作および作用について、図２〜図４のコンクリート打設工程を参照しながら説明する。
【００２１】
まず、図２に示すように、型枠装置１０の位置をシーボルト２０、アンカー２２およびジャッキボルト２４で打設済みの堤体Ｄに固定する。
【００２２】
次に、図３に示すように、型枠１２内に一層目のコンクリートＮ１を打設する。一層目のコンクリートＮ１がある程度硬化した後、シーボルト２０とアンカー２２を縁切りして型枠装置１０を堤体ＤおよびコンクリートＮ１から離脱させる。
【００２３】
そして、図４に示すように、型枠装置１０をコンクリート壁面に沿って上方にスライドさせ、シーボルト２０、アンカー２２およびジャッキボルト２４で一層目のコンクリートＮ１に固定し、二層目のコンクリートＮ２の打設を行う。
【００２４】
ここで、型枠装置１０の型枠１２の上方移動に伴って、型枠１２の下端に取り付けてある養生マット１８も一体として上方にスライド移動するので、シート状の養生マット１８が一層目のコンクリートＮ１の壁面（コンクリート壁面の既設部分）を被覆するようになる。このため、打ち込み後まもない若材齢の一層目のコンクリートＮ１の壁面は、外気にむき出しとならずに養生マット１８により湿潤養生されることになる。
【００２５】
このように、本発明によれば、型枠１２を上方に移動すると、シート状の養生マット１８がコンクリート壁面の既設部分を被覆するようになるので、この既設部分の湿潤養生が可能となる。このため、これまで脱型の度毎に人手により行っていた湿潤養生マットの敷設手間を省略することができる。したがって、壁状構造物のコンクリート打設工事において、養生マットの敷設を簡単に行え、敷設の手間を軽減することができる。
【００２６】
ここで、上記の実施の形態において、養生マット１８の上下長さを可変とし、必要な湿潤養生の高さに応じてその長さを変えるようにしてもよい。例えば、図５に示すように、養生マット１８の上端に養生マットを巻き取り可能な養生マット巻取部２６を設け、マットを上方に巻き取ったり下方に引き伸ばすことで養生マット１８の上下長さを調整することができる。
【００２７】
また、上記の実施の形態において、型枠装置１０がコンクリート壁面の既設部分に散水するための散水手段を備えてもよい。例えば、図６に示すように、養生マット１８上端の表側に、小孔が周面下側に多数開けられた多孔管２８（散水手段）を配置して、小孔から霧状の水を噴霧することで、養生マット１８表面に散水するようにしてもよい。
【００２８】
なお、上記の実施の形態においては、ダム堤体のコンクリート打設工事の場合を例にとり説明したが、本発明はこれに限るものではなく、擁壁、橋脚、煙突などの壁状構造物であれば適用可能であることはいうまでもない。また、本発明は、湿潤養生マットの敷設作業が不要となることから、従来、養生マットの敷設の際に高所作業をしていたような高さのあるコンクリート構造物の場合、高所作業を行わずに済むので特に有効である。
【００２９】
以上説明したように、本発明に係る養生マット一体型型枠装置によれば、コンクリート壁面を順次高さ方向に構築する際に、コンクリート打設の工程に追従して型枠を上方に移動させ、コンクリート壁面の既設部分に固定する移動式の型枠装置であって、前記型枠を上方に移動した場合に前記コンクリート壁面の既設部分を被覆して湿潤養生することが可能なシート状の養生マットを前記型枠に一体に設けたので、型枠を上方に移動すると、シート状の養生マットがコンクリート壁面の既設部分を被覆するようになるので、この既設部分の湿潤養生が可能となる。このため、これまで脱型の度毎に人手により行っていた湿潤養生マットの敷設手間を省略することができる。したがって、壁状構造物のコンクリート打設工事において、養生マットの敷設を簡単に行え、敷設の手間を軽減することができる。
【産業上の利用可能性】
【００３０】
以上のように、本発明に係る養生マット一体型型枠装置は、重力式擁壁、ダム、橋脚、煙突などの高さのある壁状構造物のコンクリート打設工事に有用であり、特に、湿潤養生に用いる養生マットの敷設手間を軽減するのに適している。
【符号の説明】
【００３１】
１０  養生マット一体型型枠装置
１２  型枠
１４  支柱
１６  足場
１６ａ  足場板
１６ｂ  足場枠
１６ｃ  手摺
１８  養生マット
２０  シーボルト
２２  アンカー
２４  ジャッキボルト
２６  養生マット巻取部
２８  多孔管（散水手段）
Ｎ１  一層目のコンクリート（コンクリート壁面の既設部分）
Ｎ２  二層目のコンクリート
【図１】
2013238053.tif 000003
【図２】
2013238053.tif 000004
【図３】
2013238053.tif 000005
【図４】
2013238053.tif 000006
【図５】
2013238053.tif 000007
【図６】
2013238053.tif 000008
【図７】
2013238053.tif 000009
【図８】
2013238053.tif 000010
【図９】
2013238053.tif 000011
【図１０】
2013238053.tif 000012